(57)【要約】  一般道路１２０及び特定道路１１０が交わる交差点に設けられる交通安全装置を制御する路側機４０は、一般道路１２０を走行する対象車両から少なくとも１つのメッセージに基づいて、対象車両が特定道路１１０を走行することが許可される所定車両であるか否か、及び対象車両が特定道路１１０に進入しようとしているか否かを判定する。路側機４０は、対象車両が所定車両であり、且つ対象車両が特定道路１１０に進入しようとしていると判定された場合に、対象車両が特定道路１１０に進入することを許可するよう交通安全装置を制御する。
2020045355.tif 000002
【特許請求の範囲】
【請求項１】
一般道路及び特定道路が交わる交差点に設けられる交通安全装置を制御する基地局であって、
前記一般道路を走行する対象車両から少なくとも１つのメッセージを受信する通信部と、
前記少なくとも１つのメッセージに基づいて、前記対象車両が前記特定道路を走行することが許可される所定車両であるか否か、及び前記対象車両が前記特定道路に進入しようとしているか否かを判定する制御部と、を備え、
前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する、基地局。
【請求項２】
前記特定道路は、所定種別の車両に専用で用いる専用道路であって、
前記所定車両は、前記所定種別の車両を含み、
前記少なくとも１つのメッセージは、前記対象車両の種別を示す種別情報を含み、
前記制御部は、前記種別情報に基づいて、前記対象車両が前記所定車両であるか否かを判定する、請求項１に記載の基地局。
【請求項３】
前記所定車両は、緊急車両を含み、
前記少なくとも１つのメッセージは、前記対象車両が緊急車両であるか否かを示す緊急車両情報を含み、
前記制御部は、前記緊急車両情報に基づいて、前記対象車両が前記所定車両であるか否かを判定する、請求項１又は２に記載の基地局。
【請求項４】
前記少なくとも１つのメッセージは、前記対象車両に設けられた方向指示器の状態を示す方向指示器情報を含み、
前記制御部は、前記方向指示器情報に基づいて、前記対象車両が前記特定道路に進入しようとしているか否かを判定する、請求項１乃至３のいずれか１項に記載の基地局。
【請求項５】
前記少なくとも１つのメッセージは、前記車両の走行予定の経路を示す経路情報を含み、
前記制御部は、前記経路情報に基づいて、前記対象車両が前記特定道路に進入しようとしているか否かを判定する、請求項１乃至４のいずれか１項に記載の基地局。
【請求項６】
前記交通安全装置は、前記交差点における前記特定道路への入り口に設けられたゲートを含み、
前記制御部は、前記対象車両が前記所定車両であり、且つ前記対象車両が前記特定道路に進入しようとしていると判定された場合に、前記ゲートを開けるよう前記交通安全装置を制御する、請求項１乃至５のいずれか１項に記載の基地局。
【請求項７】
前記交通安全装置は、前記交差点における前記特定道路への入り口に設けられた交通信号機であって、
前記制御部は、前記対象車両が前記所定車両であり、且つ前記対象車両が前記特定道路に進入しようとしていると判定された場合に、前記交通信号機によって表示される信号の切替を制御する、請求項１乃至５のいずれか１項に記載の基地局。
【請求項８】
前記交通安全装置は、指示信号を無線で車両に送信する無線機であって、
前記制御部は、前記対象車両が前記所定車両であり、且つ前記対象車両が前記特定道路に進入しようとしていると判定された場合に、前記対象車両が前記特定道路に進入することを許可する指示信号を前記対象車両に送信するよう前記無線機を制御する、請求項１乃至５のいずれか１項に記載の基地局。
【請求項９】
一般道路及び特定道路が交わる交差点に設けられる交通安全装置を制御する基地局との通信を行う車両であって、
当該車両が一般道路を走行する状態において、当該車両が前記特定道路を走行することが許可される所定車両であるか否か及び当該車両が前記特定道路に進入しようとしているか否かを前記基地局が判定するための少なくとも１つのメッセージを送信する送信部を備える、車両。
【請求項１０】
一般道路及び特定道路が交わる交差点に設けられる交通安全装置と、
前記交通安全装置を制御する基地局と、を備え、
前記基地局は、
前記一般道路を走行する対象車両から少なくとも１つのメッセージを受信する通信部と、
前記少なくとも１つのメッセージに基づいて、前記対象車両が前記特定道路を走行することが許可される所定車両であるか否か、及び前記対象車両が前記特定道路に進入しようとしているか否かを判定する制御部と、を備え、
前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する、道路交通システム。 
【発明の詳細な説明】
【技術分野】
【０００１】
本発明は、基地局、車両、及び交通通信システムに関する。
【背景技術】
【０００２】
従来、高度交通システム（例えば、ＩＴＳ；Ｉｎｔｅｌｌｉｇｅｎｔ  Ｔｒａｎｓｐｏｒｔ  Ｓｙｓｔｅｍ）において、道路周辺に設けられる基地局である路側機と車両との間で通信を行う技術が提案されている（例えば、特許文献１）。
【先行技術文献】
【非特許文献】
【０００３】
【非特許文献１】一般社団法人電波産業会、”７００ＭＨｚ帯高度道路交通システム  ＡＲＩＢ−ＳＴＤ  Ｔ１０９  １．３版“，［ｏｎｌｉｎｅ］、平成２９年７月２７日、［平成３０年６月２２日検索］、インターネットhttp://www.arib.or.jp/tyosakenkyu/kikaku_tushin/tsushin_kikaku_number.html
【発明の概要】
【０００４】
第１の態様に係る基地局は、一般道路及び特定道路が交わる交差点に設けられる交通安全装置を制御する。前記基地局は、前記一般道路を走行する対象車両から少なくとも１つのメッセージを受信する通信部と、前記少なくとも１つのメッセージに基づいて、前記対象車両が前記特定道路を走行することが許可される所定車両であるか否か、及び前記対象車両が前記特定道路に進入しようとしているか否かを判定する制御部とを備える。前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する。
【０００５】
第２の態様に係る車両は、一般道路及び特定道路が交わる交差点に設けられる交通安全装置を制御する基地局との通信を行う。前記車両は、当該車両が一般道路を走行する状態において、当該車両が前記特定道路を走行することが許可される所定車両であるか否か及び当該車両が前記特定道路に進入しようとしているか否かを前記基地局が判定するための少なくとも１つのメッセージを送信する送信部を備える。
【０００６】
第３の態様に係る道路交通システムは、一般道路及び特定道路が交わる交差点に設けられる交通安全装置と、前記交通安全装置を制御する基地局とを備える。前記基地局は、前記一般道路を走行する対象車両から少なくとも１つのメッセージを受信する通信部と、前記少なくとも１つのメッセージに基づいて、前記対象車両が前記特定道路を走行することが許可される所定車両であるか否か、及び前記対象車両が前記特定道路に進入しようとしているか否かを判定する制御部とを備える。前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する。
【図面の簡単な説明】
【０００７】
【図１】実施形態に係る交通通信システムの一例を示す図である。
【図２】実施形態に係る車両の構成を示す図である。
【図３】実施形態に係る路側機の構成を示す図である。
【図４】実施形態に係る路車間通信期間を示す図である。
【図５】実施形態に係る交通通信システムの動作例を示す図である。
【図６】実施形態に係る路側機の動作フロー例を示す図である。
【発明を実施するための形態】
【０００８】
道路の中には、所定車両に限って走行が許可される特定道路が存在する。しかしながら、所定車両は、特定道路を走行する場合に限らず、一般的な車両の走行が許可される一般道路を走行する場合がある。
【０００９】
よって、一般道路及び特定道路が交わる交差点に設けられる交通安全装置（ゲート又は交通信号機）を基地局が制御する場合において、基地局は、一般道路を走行する所定車両の存在を考慮した制御を行う必要がある。
【００１０】
そこで、本発明は、交通安全装置を適切に制御することを可能とする。
【００１１】
実施形態に係る基地局は、一般道路及び特定道路が交わる交差点に設けられる交通安全装置を制御する。前記基地局は、前記一般道路を走行する対象車両から少なくとも１つのメッセージを受信する通信部と、前記少なくとも１つのメッセージに基づいて、前記対象車両が前記特定道路を走行することが許可される所定車両であるか否か、及び前記対象車両が前記特定道路に進入しようとしているか否かを判定する制御部とを備える。前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する。
【００１２】
実施形態について図面を参照しながら説明する。なお、以下の図面の記載において、同一又は類似の部分には、同一又は類似の符号を付している。
【００１３】
（交通通信システム）
図１は、実施形態に係る交通通信システム１００の一例を示す図である。実施形態では、図１に示すように、特定道路１１０及び一般道路１２０が交わるケースについて例示する。図１において、特定道路１１０及び一般道路１２０が交わるケースとして十字路を例示しているが、十字路に限らずＴ字路（三叉路或いは丁字路ともいう）であってもよい。また図１において、特定道路１１０及び一般道路１２０は直交しているが、特定道路１１０及び一般道路１２０が交わる角度は限定されない。
【００１４】
以下において、「交差点」とは、二以上の道路が交わる場合における当該二以上の道路（歩道と車道の区別のある道路においては、車道）の交わる部分をいい、十字路及びＴ字路の両方を含む概念であるとする。
【００１５】
特定道路１１０は、所定車両に限って走行が許可される道路である。所定車両は、所定種別の車両であってもよい。所定種別の車両は、バスであってもよい。バスとは、ある決まったルートで乗客を運ぶ比較的大型の自動車をいう。所定種別の車両は、路面電車等であってもよい。以下において、特定道路１１０が、バスに専用で用いるバス専用道路である一例について説明する。
【００１６】
所定車両は、緊急車両であってもよい。緊急車両とは、人命救助や火災対応など、何らかの理由で急を要する業務に利用される車両をいい、例えば、救急車、消防車、又は警察車両等が緊急車両に含まれる。所定車両は、緊急車両のうち緊急走行中のものに限定されていてもよい。緊急走行中とは、サイレンを鳴らしながら走行している状態や、回転灯を点灯させながら走行している状態をいう。以下において、緊急車両は、例外的にバス専用道路での走行が許可されうると仮定して説明を進める。
【００１７】
一般道路１２０は、一般的な車両の走行が許可される道路である。一般的な車両とは、緊急車両に限定されないすべての車両をいう。図１において、特定道路１１０上を車両１０Ａが走行しており、一般道路１２０上を車両１０Ｂが走行しているケースを例示している。さらに、特定道路１１０の路側に路側機４０が設けられるケースを例示している。路側機４０は、基地局の一例である。
【００１８】
特定道路１１０及び一般道路１２０の交差点において、特定道路１１０上にゲート装置１３０（ゲート装置１３１及びゲート装置１３２）が設けられており、一般道路１２０上に交通信号機１４０（交通信号機１４１及び交通信号機１４２）が設けられてもよい。ゲート装置１３０は、交通安全装置の一例であり、交通信号機１４０は、交通安全装置の他の例である。
【００１９】
車両１０（車両１０Ａ及び車両１０Ｂ）は、自動二輪車、自動三輪車、又は自動四輪車などの自動車であってもよい。車両１０は、路側機４０と通信（路車間通信）を行う。ここでは、車両１０Ａがバスであるケースを例示する。車両１０の詳細については後述する（図２を参照）。
【００２０】
路側機４０は、車両１０と通信（路車間通信）を行う。路側機４０は、ゲート装置１３０と通信を行う機能を有する。路側機４０は、交通信号機１４０と通信を行う機能を有していてもよい。車両１０は、他の車両との車車間通信を行ってもよい。車車間通信は、路車間通信が行われていないタイミングで行われてもよい。路側機４０の詳細については後述する（図３を参照）。
【００２１】
ゲート装置１３０は、特定道路１１０への車両１０Ｂの進入を制限するためのゲートを有する。ゲート装置１３０は、ゲートに加えて、ゲートを開閉する駆動機構や、路側機４０との通信を行うための通信インターフェイスを有する。
【００２２】
ゲート装置１３０は、車両１０Ａが交差点を通過しないときに閉じ、車両１０Ａが交差点を通過するときに開くように構成される。例えば、ゲート装置１３０は、車両１０Ａの運行スケジュールに応じて開閉してもよい。ゲート装置１３０は、交差点への車両１０Ａの接近に応じて開き、交差点からの車両１０Ａの離脱に応じて閉じてもよい。車両１０Ａの接近及び離脱は、車両１０Ａからメッセージを受信できるか否かに基づいて路側機４０によって検出された上で、路側機４０からゲート装置１３０に通知されてもよい。
【００２３】
交通信号機１４０は、車両１０Ｂの交差点の通過を許可するか否かを示す信号（例えば、青信号、黄信号、赤信号）を表示するように構成される。交通信号機１４０は、車両１０Ｂに注意喚起を促す点滅信号を表示するように構成されてもよい。例えば、交通信号機１４０は、予め定められたスケジュールに応じて信号を切り替えてもよい。ゲート装置１３０は、交差点への車両１０Ａの接近及び交差点からの車両１０Ａの離脱に応じて信号を切り替えてもよい。車両１０Ａの接近及び離脱は、車両１０Ａからメッセージを受信できるか否かに基づいて路側機４０によって検出された上で、路側機４０から交通信号機１４０に通知されてもよい。
【００２４】
実施形態において、バスが特定道路１１０を走行する場合に限らず、バスが一般道路１２０を走行しうるシナリオを想定する。このようなシナリオにおいて、一般道路１２０及び特定道路１１０が交わる交差点に設けられる交通安全装置を制御する路側機４０は、一般道路１２０を走行するバスの存在を考慮した制御を行う必要がある。
【００２５】
（車両）
図２は、実施形態に係る車両１０の構成を示す図である。図２に示すように、車両１０は、通信部１１及び制御部１２を有する。
【００２６】
通信部１１は、無線通信モジュールによって構成される。通信部１１は、キャリアセンスを行って電波の周波数（例えば、７００ＭＨｚ帯）の空き状態を判定する機能を有していてもよい。通信部１１は、電波の周波数が空いているタイミングでパケットを送信する。１以上のパケットによって１つのメッセージが構成されてもよい。
【００２７】
通信部１１は、路車間通信を行ってもよく、車車間通信を行ってもよい。パケットは、送信元の識別に用いる識別情報、路側機４０に対する同期方法を示す同期情報、パケットの送信時刻、及び／又は路車間通信の期間を示す期間情報（路車間通信の転送回数、及び／又は路車間通信の期間長）などを含む。車車間通信は、路車間通信に伴って生じる通信（パケット転送）を含む。
【００２８】
以下において、上述したメッセージを踏まえて、メッセージの詳細について説明する。
【００２９】
メッセージは、車両１０の種別を示す種別情報を含んでもよい。車両１０の種別を示す種別情報は、車両１０の種別が何であるかを一意に識別する情報であってもよい。車両１０がバスである場合、種別情報は、バスであることを示す情報ということになる。或いは、種別情報は、車両種別がバスであるか否かを示す１ビットのフラグであってもよい。
【００３０】
メッセージは、車両１０が緊急車両であるか否かを示す緊急車両情報を含んでもよい。緊急車両情報は、車両１０が緊急走行中であるか否かを示す情報であってもよい。緊急車両情報は、車両１０が緊急車両であるか否かを示す１ビットのフラグ又は車両１０が緊急走行中であるか否かを示す１ビットのフラグであってもよい。
【００３１】
メッセージは、車両１０に設けられた方向指示器の状態を示す方向指示器情報を含んでもよい。方向指示器とは、車両用の保安部品の１つであり、右左折や進路変更の際に、その方向を周囲に示すための装置である。一般に、車両１０は、右折するために右側の方向指示器を点滅させ、左折するために左側の方向指示器を点滅させる。方向指示器情報は、方向指示器が点滅しているか否かを示す情報、及び／又は左右どちらの方向指示器が点滅しているかを示す情報等を含んでもよい。
【００３２】
メッセージは、車両１０の走行予定の経路を示す経路情報を含む。経路情報は、車両１０のカーナビゲーションシステムが案内する経路を示す情報であってもよい。車両１０が自動運転中である場合、経路情報は、自動運転により走行予定の経路を示す情報であってもよい。経路情報は、車両１０の出発地から到着地までの全経路を示す情報である必要はなく、直近の一定時間又は一定距離における走行予定の経路のみを示す情報であってもよい。
【００３３】
制御部１２は、メモリ及びＣＰＵなどを有する制御回路によって構成される。制御部１２は、少なくとも通信部１１を制御する。制御部１２は、車両１０が一般道路１２０を走行している場合において、上述した情報を含む少なくとも１つのメッセージを送信するように通信部１１を制御してもよい。
【００３４】
実施形態において、メッセージは、ブロードキャストで送信されてもよい。このようなケースにおいて、メッセージは、宛先を特定する情報、及び／又は宛先を特定する情報を含んでいなくてもよい。
【００３５】
（路側機）
図３は、実施形態に係る路側機４０の構成を示す図である。図３に示すように、路側機４０は、通信部４１及び制御部４２を有する。
【００３６】
路側機４０の無線通信方式は、ＡＲＩＢ  Ｔ１０９、３ＧＰＰ（３ｒｄ  ＧｅｎｅｒａｔｉｏｎＰａｒｔｎｅｒｓｈｉｐ  Ｐｒｏｊｅｃｔ）で定義されるＶ２Ｘ（Ｖｅｈｉｃｌｅ  ｔｏ  Ｅｖｅｒｙｔｈｉｎｇ）、及び／又は無線ＬＡＮなどの方式に準拠してもよい。路側機４０は、これらの通信規格の全てに対応可能なオールインタイプであってもよい。
【００３７】
通信部４１は、無線通信モジュールによって構成される。通信部４１は、キャリアセンスを行って電波の周波数（例えば、７００ＭＨｚ帯）の空き状態を判定する機能を有していなくてもよい。通信部４１は、制御部４２によって決定されたタイミングでパケットを送信する。１以上のパケットによって１つのメッセージが構成されてもよい。
【００３８】
通信部４１は、路車間通信を行ってもよい。パケットは、送信元の識別に用いる識別情報、路側機４０に対する同期方法を示す同期情報、パケットの送信時刻、及び／又は路車間通信の期間を示す期間情報（例えば、路車間通信の転送回数、及び／又は路車間通信の期間長）などを含む。
【００３９】
通信部４１は、車両１０から、当該車両１０の種別を示す種別情報及び／又は当該車両１０が緊急車両であるか否かを示す緊急車両情報を含む少なくとも１つのメッセージを受信する。
【００４０】
また、通信部４１は、車両１０から、当該車両１０に設けられた方向指示器の状態を示す方向指示器情報及び／又は当該車両１０の走行予定の経路を示す経路情報を含む少なくとも１つのメッセージを受信する。
【００４１】
制御部４２は、メモリ及びＣＰＵなどを有する制御回路によって構成される。制御部４２は、少なくとも通信部４１を制御する。制御部４２は、車両１０から受信した少なくとも１つのメッセージに基づいて、当該車両１０が特定道路１１０を走行することが許可される所定車両であるか否か、及び当該車両１０が特定道路１１０に進入しようとしているか否かを判定する。
【００４２】
具体的には、制御部４２は、車両１０から受信した少なくとも１つのメッセージに含まれる種別情報及び／又は緊急車両情報に基づいて、当該車両１０が特定道路１１０を走行することが許可される所定車両であるか否かを判定する。例えば、制御部４２は、種別情報がバスを示す場合に、当該車両１０が所定車両であると判定してもよい。制御部４２は、緊急車両情報が緊急車両を示す場合に、当該車両１０が所定車両であると判定してもよい。
【００４３】
また、制御部４２は、車両１０から受信した少なくとも１つのメッセージに含まれる方向指示器情報及び／又は経路情報に基づいて、当該車両１０が特定道路１１０に進入しようとしているか否かを判定する。例えば、制御部４２は、方向指示器情報が特定道路１１０への右折又は左折を示す場合に、当該車両１０が特定道路１１０に進入しようとしていると判定してもよい。制御部４２は、経路情報が示す経路に特定道路１１０が含まれる場合に、当該車両１０が特定道路１１０に進入しようとしていると判定してもよい。
【００４４】
制御部４２は、当該車両１０が所定車両であり、且つ当該車両１０が特定道路１１０に進入しようとしていると判定された場合に、当該車両１０が特定道路１１０に進入することを許可するようゲート装置１３０を制御する。
【００４５】
例えば、制御部４２は、車両１０が特定道路１１０に進入することを許可するように、ゲート装置１３０のゲートを開くことを指示する制御コマンドをゲート装置１３０に送信してもよい。このような通信は、有線で行われてもよく、無線で行われてもよい。
【００４６】
制御部４２は、車両１０が特定道路１１０に進入することを許可するように、交通信号機１４０によって表示される信号の切替を制御してもよい。このようなケースにおいて、制御部４２は、交通信号機１４０によって表示される信号の切替を指示する制御コマンドを交通信号機１４０に送信してもよい。このような通信は、有線で行われてもよく、無線で行われてもよい。
【００４７】
（路車間通信）
図４は、実施形態に係る路車間通信期間を示す図である。図４では、ＡＲＩＢ  Ｔ１０９に基づく路車間通信期間を例示している。
【００４８】
図４に示すように、路側機４０及び車両１０は、１００ｍｓ周期での通信を基本とする。路側機４０は、自身の送信情報として送信時刻及び路車間通信期間情報（転送回数・路車間通信期間長）を周囲の車両１０に通知することにより、自身の送信時間を確保する。また、路側機４０間では±１６μｓ以下の同期精度を保つこととされている。
【００４９】
車両１０は、路側機４０から受信した送信時刻に基づいて時刻同期し、路車間通信期間情報に基づいて自身の送信を停止することで、路側機４０の送信期間以外のタイミングで送信を行う。
【００５０】
１００ｍｓの制御周期内において１６μｓを制御単位時間（ユニット）としており、制御周期は６２５０ユニットで構成される。１制御周期中に設定可能な路車間通信期間数の最大値は１６であり、制御周期の先頭から３９０ユニット（６２４０μｓ）間隔で配置する。設定可能な路車間通信期間長の最大値は、１８９ユニット（３０２４μｓ）である。
【００５１】
路側機４０には、１制御周期中にある１６の路車間通信期間のうち１つの路車間通信期間が割り当てられる。路側機４０は、自身の路車間通信期間においてのみ無線信号を送信する。
【００５２】
路側機４０は、自身の路車間通信期間に関する情報を含む路車間通信期間情報を含む無線信号をブロードキャストする。車両１０は、路車間通信期間情報に基づいて、路側機４０が使用している路車間通信期間を把握し、路側機４０が使用している路車間通信期間において無線信号を送信しないようにする。
【００５３】
（動作例）
図５は、実施形態に係る交通通信システム１００の動作例を示す図である。
【００５４】
図５に示すように、一般道路１２０に対して特定道路１１０が交わるＴ字路において、特定道路１１０への入り口にゲート装置１３０（ゲート）が設けられている。また、Ｔ字路の路側には、ゲート装置１３０を制御する路側機４０が設けられている。
【００５５】
路側機４０は、一般道路１２０に沿った方向に指向性パターンを有するアンテナを備える。路側機４０は、一般道路１２０における特定道路１１０への分岐点の手前の領域に指向性を向けることにより当該領域を自身の通信エリアとしており、当該通信エリア内の車両１０との通信を行う。車両１０は、一般道路１２０の左側車線を走行しており、特定道路１１０への分岐点に差し掛かっている。車両１０は、路側機４０の通信エリア内において、路側機４０に対して少なくとも１つのメッセージを送信する。
【００５６】
このような状況下において、路側機４０は、車両１０から受信した少なくとも１つのメッセージに基づいて、車両１０がバス又は緊急車両であり、且つ、車両１０が一般道路１２０から特定道路１１０へ左折しようとしていると判定した場合に、ゲート装置１３０のゲートを開く。これにより、路側機４０は、車両１０が特定道路１１０に進入することを許可する。路側機４０は、ゲート装置１３０のゲートを開いた後、センサ等により車両１０がゲートを通過したことを検知した場合に、ゲート装置１３０のゲートを閉じる。
【００５７】
（動作フロー）
図６は、実施形態に係る路側機４０の動作フロー例を示す図である。
【００５８】
図６に示すように、ステップＳ１０１において、通信部４１は、車両１０から、当該車両１０の種別を示す種別情報及び／又は当該車両１０が緊急車両であるか否かを示す緊急車両情報を含む少なくとも１つのメッセージを受信する。また、通信部４１は、車両１０から、当該車両１０に設けられた方向指示器の状態を示す方向指示器情報及び／又は当該車両１０の走行予定の経路を示す経路情報を含む少なくとも１つのメッセージを受信する。
【００５９】
ステップＳ１０２において、制御部４２は、車両１０から受信した少なくとも１つのメッセージに含まれる種別情報及び／又は緊急車両情報に基づいて、当該車両１０が特定道路１１０を走行することが許可される所定車両であるか否かを判定する。当該車両１０が所定車両でないと判定された場合（ステップＳ１０２：ＮＯ）、ステップＳ１０５において、制御部４２は、ゲート装置１３０のゲートを開かない。
【００６０】
当該車両１０が所定車両であると判定された場合（ステップＳ１０２：ＹＥＳ）、ステップＳ１０３において、制御部４２は、当該車両１０から受信した少なくとも１つのメッセージに含まれる方向指示器情報及び／又は経路情報に基づいて、当該車両１０が特定道路１１０に進入しようとしているか否かを判定する。当該車両１０が特定道路１１０に進入しようとしていると判定されない場合（ステップＳ１０３：ＮＯ）、ステップＳ１０５において、制御部４２は、ゲート装置１３０のゲートを開かない。
【００６１】
当該車両１０が特定道路１１０に進入しようとしていると判定された場合（ステップＳ１０３：ＹＥＳ）、ステップＳ１０４において、制御部４２は、ゲート装置１３０のゲートを開くように制御する。
【００６２】
なお、ステップＳ１０２及びステップＳ１０３の順序は逆であってもよい。
【００６３】
このように、本実施形態によれば、所定車両が特定道路１１０だけではなく一般道路１２０を走行する場合であっても、一般道路１２０及び特定道路１１０が交わる交差点に設けられる交通安全装置を適切に制御することにより、一般道路１２０を走行する所定車両を特定道路１１０に進入させることができる。
【００６４】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６５】
実施形態において、交通安全装置がゲート装置又は交通信号機である一例について説明した。しかしながら、交通安全装置は、各種の指示を無線で車両１０に送信する無線機であってもよい。そのような交通安全装置（無線機）は、車両１０の通行の可否を指示する信号（言い換えると、特定道路１１０への車両１０の進行／停止の指示信号）を車両１０に送信する。また、そのような交通安全装置（無線機）は、路側機４０と一体に構成されてもよい。
【００６６】
実施形態では特に触れていないが、路側機４０は、他の路側機と通信を行ってもよい（路路間通信）。
【００６７】
実施形態では、車両１０Ａ及び路側機４０を中心に説明したが、実施形態はこれに限定されるものではない。車両及び路側機４０の少なくともいずれか１つに設けられる通信装置が提供されてもよい。通信装置は、通信部１１の機能又は通信部４１の機能を有する。
【００６８】
以上、図面を参照して一実施形態について詳しく説明したが、具体的な構成は上述のものに限られることはなく、要旨を逸脱しない範囲内において様々な設計変更等をすることが可能である。
【００６９】
本願は、日本国特許出願第２０１８−１６０４４１号（２０１８年８月２９日出願）の優先権を主張し、その内容の全てが本願明細書に組み込まれている。 
【図１】
2020045355.tif 000003
【図２】
2020045355.tif 000004
【図３】
2020045355.tif 000005
【図４】
2020045355.tif 000006
【図５】
2020045355.tif 000007
【図６】
2020045355.tif 000008
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
一般道路及び特定道路が交わる交差点に設けられる交通安全装置を制御する基地局であって、
前記一般道路を走行する対象車両から少なくとも１つのメッセージを受信する通信部と、
前記少なくとも１つのメッセージに基づいて、前記対象車両が前記特定道路を走行することが許可される所定車両であるか否か、及び前記対象車両が前記特定道路に進入しようとしているか否かを判定する制御部と、を備え、
前記対象車両が前記所定車両であったとき、前記制御部は、
前記対象車両が前記特定道路に進入しようとしていると判定された場合に、前記対象車両が前記特定道路に進入することを許可するよう前記交通安全装置を制御する、又は、
前記対象車両が前記特定道路に進入しようとしていると判定されない場合に、前記対象車両が前記特定道路に進入することを許可しないよう前記交通安全装置を制御する、基地局。
【請求項２】
前記特定道路は、所定種別の車両に専用で用いる専用道路であって、
前記所定車両は、前記所定種別の車両を含み、
前記少なくとも１つのメッセージは、前記対象車両の種別を示す種別情報を含み、
前記制御部は、前記種別情報に基づいて、前記対象車両が前記所定車両であるか否かを判定する、請求項１に記載の基地局。
【請求項３】
前記所定車両は、緊急車両を含み、
前記少なくとも１つのメッセージは、前記対象車両が緊急車両であるか否かを示す緊急車両情報を含み、
前記制御部は、前記緊急車両情報に基づいて、前記対象車両が前記所定車両であるか否かを判定する、請求項１又は２に記載の基地局。
【請求項４】
前記少なくとも１つのメッセージは、前記対象車両に設けられた方向指示器の状態を示す方向指示器情報を含み、
前記制御部は、前記方向指示器情報に基づいて、前記対象車両が前記特定道路に進入しようとしているか否かを判定する、請求項１乃至３のいずれか１項に記載の基地局。
【請求項５】
前記少なくとも１つのメッセージは、前記車両の走行予定の経路を示す経路情報を含み、
前記制御部は、前記経路情報に基づいて、前記対象車両が前記特定道路に進入しようとしているか否かを判定する、請求項１乃至４のいずれか１項に記載の基地局。
【請求項６】
前記交通安全装置は、前記交差点における前記特定道路への入り口に設けられたゲートを含み、
前記制御部は、前記対象車両が前記所定車両であり、且つ前記対象車両が前記特定道路に進入しようとしていると判定された場合に、前記ゲートを開けるよう前記交通安全装置を制御する、請求項１乃至５のいずれか１項に記載の基地局。
【請求項７】
前記交通安全装置は、前記交差点における前記特定道路への入り口に設けられた交通信号機であって、
前記制御部は、前記対象車両が前記所定車両であり、且つ前記対象車両が前記特定道路に進入しようとしていると判定された場合に、前記交通信号機によって表示される信号の切替を制御する、請求項１乃至５のいずれか１項に記載の基地局。
【請求項８】
前記交通安全装置は、指示信号を無線で車両に送信する無線機であって、
前記制御部は、前記対象車両が前記所定車両であり、且つ前記対象車両が前記特定道路に進入しようとしていると判定された場合に、前記対象車両が前記特定道路に進入することを許可する指示信号を前記対象車両に送信するよう前記無線機を制御する、請求項１乃至５のいずれか１項に記載の基地局。
【請求項９】
一般道路及び特定道路が交わる交差点に設けられる交通安全装置と、
前記交通安全装置を制御する基地局と、を備え、
前記基地局は、
前記一般道路を走行する対象車両から少なくとも１つのメッセージを受信する通信部と、
前記少なくとも１つのメッセージに基づいて、前記対象車両が前記特定道路を走行することが許可される所定車両であるか否か、及び前記対象車両が前記特定道路に進入しようとしているか否かを判定する制御部と、を備え、
前記対象車両が前記所定車両であったとき、前記制御部は、
前記制御部は、前記対象車両が前記所定車両であり、且つ前記対象車両が前記特定道路に進入しようとしていると判定された場合に、前記対象車両が前記特定道路に進入することを許可するよう前記交通安全装置を制御する、又は、
前記対象車両が前記特定道路に進入しようとしていると判定されない場合に、前記対象車両が前記特定道路に進入することを許可しないよう前記交通安全装置を制御する、道路交通システム。
【国際調査報告】
2020045355.tif 000009
2020045355.tif 000010
2020045355.tif 000011
2020045355.tif 000012